【手続補正書】
【提出日】平成30年4月9日(2018.4.9)
【手続補正１】
【補正対象書類名】特許請求の範囲
【補正対象項目名】全文
【補正方法】変更
【補正の内容】
【特許請求の範囲】
【請求項１】
撮像光学系からの光束による撮像素子の露光をシャッタにより制御する撮像装置により生成された入力画像を取得する画像取得手段と、
前記露光に際しての前記撮像光学系から前記撮像素子までの光学伝達関数に基づいて生成された画像回復フィルタを用いて前記入力画像に対する画像回復処理を行う処理手段とを有し、
前記処理手段は、前記シャッタの先幕と後幕のうち一方が電子幕で他方がメカニカル幕である場合に、前記画像回復フィルタとして、前記メカニカル幕による前記撮像光学系から前記撮像素子に向かう光束の一部が遮光された状態での前記光学伝達関数に基づいて生成された第１の画像回復フィルタを用いることを特徴とする画像処理装置。
【請求項２】
前記処理手段は、前記露光に際しての前記シャッタのシャッタ速度に応じて、前記画像回復フィルタとして、前記第１の画像回復フィルタを用いるか、前記メカニカル幕によって前記光束が遮光されていない状態での前記光学伝達関数に基づいて生成された第２の画像回復フィルタを用いるかを選択することを特徴とする請求項１に記載の画像処理装置。
【請求項３】
前記処理手段は、前記シャッタ速度が所定シャッタ速度より速い場合は前記第１の画像回復フィルタを用い、前記シャッタ速度が前記所定シャッタ速度より遅い場合は前記第２の画像回復フィルタを用いることを特徴とする請求項２に記載の画像処理装置。
【請求項４】
前記処理手段は、前記露光に際しての前記撮像光学系のＦナンバーに応じて、前記画像回復フィルタとして、前記第１の画像回復フィルタを用いるか、前記メカニカル幕によって前記光束が遮光されていない状態での前記光学伝達関数に基づいて生成された第２の画像回復フィルタを用いるかを選択することを特徴とする請求項１に記載の画像処理装置。
【請求項５】
前記処理手段は、前記Ｆナンバーが所定Ｆナンバーより小さい場合は前記第１の画像回復フィルタを用い、前記Ｆナンバーが前記所定Ｆナンバーより大きい場合は前記第２の画像回復フィルタを用いることを特徴とする請求項４に記載の画像処理装置。
【請求項６】
前記処理手段は、前記露光に際しての前記シャッタのシャッタ速度および前記撮像光学系のＦナンバーに応じて、前記画像回復フィルタとして、前記第１の画像回復フィルタを用いるか、前記メカニカル幕によって前記光束が遮光されていない状態での前記光学伝達関数に基づいて生成された第２の画像回復フィルタを用いるかを選択することを特徴とする請求項１に記載の画像処理装置。
【請求項７】
前記処理手段は、前記シャッタ速度が所定シャッタ速度より速く、かつ前記Ｆナンバーが所定Ｆナンバーより小さい場合は前記第１の画像回復フィルタを用い、前記シャッタ速度が前記所定シャッタ速度より遅い又は前記Ｆナンバーが前記所定Ｆナンバーより大きい場合は前記第２の画像回復フィルタを用いることを特徴とする請求項６に記載の画像処理装置。
【請求項８】
前記処理手段は、前記シャッタの先幕と後幕のうち一方が電子幕で他方がメカニカル幕でない場合に、前記メカニカル幕によって前記光束が遮光されていない状態での前記光学伝達関数に基づいて生成された第２の画像回復フィルタを用いることを特徴とする請求項１に記載の画像処理装置。
【請求項９】
撮像光学系からの光束による撮像素子の露光をシャッタにより制御する撮像装置により生成された入力画像を取得する画像取得手段と、
前記露光に際しての前記撮像光学系から前記撮像素子までの光学伝達関数に基づいて生成された画像回復フィルタを用いて前記入力画像に対する画像回復処理を行う処理手段とを有し、
前記処理手段は、所定の条件が満たされた場合は、前記画像回復フィルタとして第１の画像回復フィルタを用い、前記所定の条件が満たされない場合は、前記画像回復フィルタとして、前記第１の画像回復フィルタとは異なる第２の画像回復フィルタを用いるものであって、
前記所定の条件は、前記シャッタの先幕と後幕の一方が電子幕であり、他方がメカニカル幕であることを含むことを特徴とする画像処理装置。
【請求項１０】
前記所定の条件は、前記露光に際しての前記シャッタのシャッタ速度が所定のシャッタ速度より速いこと、および、前記露光に際しての前記撮像光学系のＦナンバーが所定Ｆナンバーより小さいことの少なくともいずれかを含むことを特徴とする請求項９に記載の画像処理装置。
【請求項１１】
撮像光学系からの光束による撮像素子の露光をシャッタにより制御する撮像装置により生成された入力画像を取得する画像取得手段と、
前記露光に際しての前記撮像光学系から前記撮像素子までの光学伝達関数に基づいて生成された画像回復フィルタを用いて前記入力画像に対する画像回復処理を行う処理手段とを有し、
前記処理手段は、前記シャッタの先幕と後幕のうち一方が電子幕で他方がメカニカル幕である場合に、前記露光に際しての前記シャッタのシャッタ速度および前記撮像光学系のＦナンバーのうち少なくとも一方に応じて前記画像回復処理による画像回復度合いを変更することを特徴とする画像処理装置。
【請求項１２】
前記処理手段は、前記シャッタ速度が所定シャッタ速度より速い場合に、前記シャッタ速度が前記所定シャッタ速度より遅い場合に比べて、前記画像回復度合いを弱くすることを特徴とする請求項１１に記載の画像処理装置。
【請求項１３】
前記処理手段は、前記Ｆナンバーが所定Ｆナンバーより小さい場合に、前記Ｆナンバーが前記所定Ｆナンバーより大きいに比べて、前記画像回復度合いを弱くすることを特徴とする請求項１１に記載の画像処理装置。
【請求項１４】
前記処理手段は、前記シャッタ速度が所定シャッタ速度より速く、かつ前記Ｆナンバーが所定Ｆナンバーより小さい場合に、前記シャッタ速度が前記所定シャッタ速度より遅い又は前記Ｆナンバーが前記所定Ｆナンバーより大きい場合に比べて、前記画像回復度合いを弱くすることを特徴とする請求項１１に記載の画像処理装置。
【請求項１５】
撮像光学系からの光束による撮像素子の露光をシャッタにより制御する撮像装置により生成された入力画像を取得する画像取得手段と、
前記露光に際しての前記撮像光学系から前記撮像素子までの光学伝達関数に基づいて生成された画像回復フィルタを用いて前記入力画像に対する画像回復処理を行う処理手段とを有し、
前記処理手段は、所定の条件が満たされた場合は、前記所定の条件が満たされない場合に比べて、前記画像回復処理における画像回復度合いを弱くするものであって、
前記所定の条件は、前記シャッタの先幕と後幕の一方が電子幕であり、他方がメカニカル幕であることを含むことを特徴とする画像処理装置。
【請求項１６】
前記所定の条件は、前記露光に際しての前記シャッタのシャッタ速度が所定のシャッタ速度より速いこと、および、前記露光に際しての前記撮像光学系のＦナンバーが所定Ｆナンバーより小さいことの少なくともいずれかを含むことを特徴とする請求項１５に記載の画像処理装置。
【請求項１７】
請求項１から１６のいずれか一項に記載の画像処理装置と、
前記撮像素子と、
前記シャッタとを有することを特徴とする撮像装置。
【請求項１８】
コンピュータに、
撮像光学系からの光束による撮像素子の露光をシャッタにより制御する撮像装置により生成された入力画像を取得させ、
前記露光に際しての前記撮像光学系から前記撮像素子までの光学伝達関数に基づいて生成された画像回復フィルタを用いて前記入力画像に対する画像回復処理を行わせるコンピュータプログラムであって、
前記コンピュータに、前記シャッタの先幕と後幕のうち一方が電子幕で他方がメカニカル幕である場合に、前記メカニカル幕による前記撮像光学系から前記撮像素子に向かう光束の一部が遮光された状態での前記光学伝達関数に基づいて生成された第１の画像回復フィルタを前記画像回復フィルタとして用いた前記画像回復処理を行わせることを特徴とする画像処理プログラム。
【請求項１９】
コンピュータに、
撮像光学系からの光束による撮像素子の露光をシャッタにより制御する撮像装置により生成された入力画像を取得させ、
前記露光に際しての前記撮像光学系から前記撮像素子までの光学伝達関数に基づいて生成された画像回復フィルタを用いて前記入力画像に対する画像回復処理を行わせるコンピュータプログラムであって、
前記コンピュータに、所定の条件が満たされた場合は、前記画像回復フィルタとして第１の画像回復フィルタを用いらせ、前記所定の条件が満たされない場合は、前記画像回復フィルタとして、前記第１の画像回復フィルタとは異なる第２の画像回復フィルタを用いらせるものであって、
前記所定の条件は、前記シャッタの先幕と後幕の一方が電子幕であり、他方がメカニカル幕であることを含むことを特徴とする画像処理プログラム。
【請求項２０】
コンピュータに、
撮像光学系からの光束による撮像素子の露光をシャッタにより制御する撮像装置により生成された入力画像を取得させ、
前記露光に際しての前記撮像光学系から前記撮像素子までの光学伝達関数に基づいて生成された画像回復フィルタを用いて前記入力画像に対する画像回復処理を行わせるコンピュータプログラムであって、
前記コンピュータに、前記シャッタの先幕と後幕のうち一方が電子幕で他方がメカニカル幕である場合に、前記露光に際しての前記シャッタのシャッタ速度および前記撮像光学系のＦナンバーのうち少なくとも一方に応じて前記画像回復処理による画像回復度合いを変更させることを特徴とする画像処理プログラム。
【請求項２１】
コンピュータに、
撮像光学系からの光束による撮像素子の露光をシャッタにより制御する撮像装置により生成された入力画像を取得させ、
前記露光に際しての前記撮像光学系から前記撮像素子までの光学伝達関数に基づいて生成された画像回復フィルタを用いて前記入力画像に対する画像回復処理を行わせるコンピュータプログラムであって、
前記コンピュータに、所定の条件が満たされた場合は、前記所定の条件が満たされない場合に比べて、前記画像回復処理における画像回復度合いを弱くさせるものであって、
前記所定の条件は、前記シャッタの先幕と後幕の一方が電子幕であり、他方がメカニカル幕であることを含むことを特徴とする画像処理プログラム。
【手続補正２】
【補正対象書類名】明細書
【補正対象項目名】００１０
【補正方法】変更
【補正の内容】
【００１０】
本発明の一側面としての画像処理装置は、撮像光学系からの光束による撮像素子の露光をシャッタにより制御する撮像装置により生成された入力画像を取得する画像取得手段と、露光に際しての撮像光学系から撮像素子までの光学伝達関数に基づいて生成された画像回復フィルタを用いて入力画像に対する画像回復処理を行う処理手段とを有する。そして、処理手段は、シャッタの先幕と後幕のうち一方が電子幕で他方がメカニカル幕である場合に、画像回復フィルタとして、メカニカル幕による撮像光学系から撮像素子に向かう光束の一部が遮光された状態での光学伝達関数に基づいて生成された第１の画像回復フィルタを用いることを特徴とする。
本発明の他の一側面としての画像処理装置は、撮像光学系からの光束による撮像素子の露光をシャッタにより制御する撮像装置により生成された入力画像を取得する画像取得手段と、露光に際しての撮像光学系から撮像素子までの光学伝達関数に基づいて生成された画像回復フィルタを用いて入力画像に対する画像回復処理を行う処理手段とを有する。そして、処理手段は、所定の条件が満たされた場合は、画像回復フィルタとして第１の画像回復フィルタを用い、所定の条件が満たされない場合は、画像回復フィルタとして、第１の画像回復フィルタとは異なる第２の画像回復フィルタを用いるものであって、所定の条件は、シャッタの先幕と後幕の一方が電子幕であり、他方がメカニカル幕であることを含むことを特徴とする。
【手続補正３】
【補正対象書類名】明細書
【補正対象項目名】００１１
【補正方法】変更
【補正の内容】
【００１１】
また、本発明の他の一側面としての画像処理装置は、撮像光学系からの光束による撮像素子の露光をシャッタにより制御する撮像装置により生成された入力画像を取得する画像取得手段と、露光に際しての撮像光学系から撮像素子までの光学伝達関数に基づいて生成された画像回復フィルタを用いて入力画像に対する画像回復処理を行う処理手段とを有する。そして、処理手段は、シャッタの先幕と後幕のうち一方が電子幕で他方がメカニカル幕である場合に、露光に際してのシャッタのシャッタ速度および撮像光学系のＦナンバーのうち少なくとも一方に応じて画像回復処理による画像回復度合いを変更することを特徴とする。
本発明の他の一側面としての画像処理装置は、撮像光学系からの光束による撮像素子の露光をシャッタにより制御する撮像装置により生成された入力画像を取得する画像取得手段と、露光に際しての撮像光学系から撮像素子までの光学伝達関数に基づいて生成された画像回復フィルタを用いて入力画像に対する画像回復処理を行う処理手段とを有する。そして、処理手段は、所定の条件が満たされた場合は、所定の条件が満たされない場合に比べて、画像回復処理における画像回復度合いを弱くするものであって、所定の条件は、シャッタの先幕と後幕の一方が電子幕であり、他方がメカニカル幕であることを含むことを特徴とする。
【手続補正４】
【補正対象書類名】明細書
【補正対象項目名】００１３
【補正方法】変更
【補正の内容】
【００１３】
また、本発明の他の一側面としての画像処理プログラムは、コンピュータに、撮像光学系からの光束による撮像素子の露光をシャッタにより制御する撮像装置により生成された入力画像を取得させ、露光に際しての撮像光学系から撮像素子までの光学伝達関数に基づいて生成された画像回復フィルタを用いて入力画像に対する画像回復処理を行わせるコンピュータプログラムである。そして、該プログラムは、コンピュータに、シャッタの先幕と後幕のうち一方が電子幕で他方がメカニカル幕である場合に、メカニカル幕による撮像光学系から撮像素子に向かう光束の一部が遮光された状態での光学伝達関数に基づいて生成された第１の画像回復フィルタを画像回復フィルタとして用いた画像回復処理を行わせることを特徴とする。
本発明の他の一側面としての画像処理プログラムは、コンピュータに、撮像光学系からの光束による撮像素子の露光をシャッタにより制御する撮像装置により生成された入力画像を取得させ、露光に際しての撮像光学系から撮像素子までの光学伝達関数に基づいて生成された画像回復フィルタを用いて入力画像に対する画像回復処理を行わせるコンピュータプログラムである。そして、該プログラムは、コンピュータに、所定の条件が満たされた場合は、画像回復フィルタとして第１の画像回復フィルタを用いらせ、所定の条件が満たされない場合は、画像回復フィルタとして、第１の画像回復フィルタとは異なる第２の画像回復フィルタを用いらせるものであって、所定の条件は、シャッタの先幕と後幕の一方が電子幕であり、他方がメカニカル幕であることを含むことを特徴とする。
【手続補正５】
【補正対象書類名】明細書
【補正対象項目名】００１４
【補正方法】変更
【補正の内容】
【００１４】
さらに、本発明の他の一側面としての画像処理プログラムは、コンピュータに、撮像光学系からの光束による撮像素子の露光をシャッタにより制御する撮像装置により生成された入力画像を取得させ、露光に際しての撮像光学系から撮像素子までの光学伝達関数に基づいて生成された画像回復フィルタを用いて入力画像に対する画像回復処理を行わせるコンピュータプログラムである。そして、該プログラムは、コンピュータに、シャッタの先幕と後幕のうち一方が電子幕で他方がメカニカル幕である場合に、露光に際してのシャッタのシャッタ速度および撮像光学系のＦナンバーのうち少なくとも一方に応じて画像回復処理による画像回復度合いを変更させることを特徴とする。
本発明の他の一側面としての画像処理プログラムは、コンピュータに、撮像光学系からの光束による撮像素子の露光をシャッタにより制御する撮像装置により生成された入力画像を取得させ、露光に際しての撮像光学系から撮像素子までの光学伝達関数に基づいて生成された画像回復フィルタを用いて入力画像に対する画像回復処理を行わせるコンピュータプログラムである。そして、該プログラムは、コンピュータに、所定の条件が満たされた場合は、所定の条件が満たされない場合に比べて、画像回復処理における画像回復度合いを弱くさせるものであって、所定の条件は、シャッタの先幕と後幕の一方が電子幕であり、他方がメカニカル幕であることを含むことを特徴とする。